(57)【要約】【課題】駆動条件を騒音の閾値により決定することを可能にした投射表示装置を提供すること。【解決手段】発光強度が可変の光源手段と、装置内部の温度上昇を伴う部品を冷却するための冷却手段と、装置内に配置され、温度を検出するための温度検出手段と、前記冷却手段の駆動条件とそれに対する発生音の強度との関係を記憶する発生音強度記憶手段とを有する投射表示装置において、発生音強度を指定する発生音強度指定手段を有し、前記発生音強度指定手段からの入力値となるよう発生音強度記憶手段の情報から冷却手段の駆動条件を選択して装置を駆動し、前記温度検出手段の検出値が所定の範囲内となるよう前記光源の発光強度を変更することを特徴とする。【選択図】図１
2018013653.tif 000002
【特許請求の範囲】
【請求項１】
発光強度が可変の光源手段と、
装置内部の温度上昇を伴う部品を冷却するための冷却手段と、
装置内に配置され、温度を検出するための温度検出手段と、
前記冷却手段の駆動条件とそれに対する発生音の強度との関係を記憶する発生音強度記憶手段とを有する投射表示装置において、
発生音強度を指定する発生音強度指定手段を有し、
前記発生音強度指定手段からの入力値となるよう発生音強度記憶手段の情報から冷却手段の駆動条件を選択して装置を駆動し、
前記温度検出手段の検出値が所定の範囲内となるよう前記光源の発光強度を変更することを特徴とする投射表示装置。
【請求項２】
光源手段はレーザー光源またはＬＥＤ光源からなることを特徴とする請求項１に記載の投射表示装置。
【発明の詳細な説明】
【技術分野】
【０００１】
本発明は、投射表示装置の制御手法に関し、特に冷却制御手法に関する。
【背景技術】
【０００２】
投射表示装置の利用の幅は広く、例えば、暗く静かなシーンの連続する映像や、病院での利用や、就寝直前に天井に投影したり、照度よりも騒音を気にするシチュエーションもある。従来はエコモードや標準モードと呼ばれるような２、３の光源駆動モードからユーザーがシチュエーションに合わせて選択していた。
【０００３】
特許文献１には、定格未満のランプ電力で点灯を行う場合に、ランプの長寿命化を図る提案が開示されている。
【０００４】
しかし、上記のようなシチュエーションもあることから、騒音という閾値で駆動条件を任意に決定したいという要望があった。
【先行技術文献】
【特許文献】
【０００５】
【特許文献１】特開平１１−２８８７９０号公報
【発明の概要】
【発明が解決しようとする課題】
【０００６】
上述の特許文献１に開示された従来技術では、あくまで光源ランプの駆動条件を決定し、それに対して冷却条件を決定している為、騒音値という閾値で細かく駆動条件を決定したいという要求を満たすことはできない。
【０００７】
本発明の目的は、駆動条件を騒音の閾値により決定することを可能にした投射表示装置を提供することにある。
【課題を解決するための手段】
【０００８】
上記の目的を達成するために、本発明に係る投射表示装置は、
発光強度が可変の光源手段と、
装置内部の温度上昇を伴う部品を冷却するための冷却手段と、
装置内に配置され、温度を検出するための温度検出手段と、
前記冷却手段の駆動条件とそれに対する発生音の強度との関係を記憶する発生音強度記憶手段とを有する投射表示装置において、
発生音強度を指定する発生音強度指定手段を有し、
前記発生音強度指定手段からの入力値となるよう発生音強度記憶手段の情報から冷却手段の駆動条件を選択して装置を駆動し、
前記温度検出手段の検出値が所定の範囲内となるよう前記光源の発光強度を変更することを特徴とする。
【発明の効果】
【０００９】
本発明によれば、駆動条件を騒音の閾値により決定することを可能にした投射表示装置を提供することができる。
【図面の簡単な説明】
【００１０】
【図１】本発明の実施形態の制御フローを示したフローチャート
【図２】本発明の実施形態を説明する投射表示装置の概略図
【発明を実施するための形態】
【００１１】
以下に、本発明の好ましい実施の形態を、添付の図面に基づいて詳細に説明する。
【００１２】
図１は本発明の実施形態にかかわる制御フローを示したフローチャートである。
【００１３】
図２は本発明の実施形態にかかわる投射表示装置の概略図である。１０は投射表示装置を示す。
【００１４】
１は光を発生させるための光源である。発光量をコントロールしやすい点から光源１はＬＥＤやレーザーであることが望ましい。３は液晶パネルやＤＭＤ等からなり、任意の画像を生成するための画像生成装置。２は光源１からの光を画像生成装置３に均一に照射させるための照明光学系。４は光源１からの光を分光し、更には画像生成装置３で生成した光を合成する為の色分離合成光学系。６は色分離合成光学系４からの光を拡大、または縮小してスクリーンに投射するための投射レンズである。
【００１５】
５は画像生成装置３と色分離合成光学系４と投射レンズ６を固定して一体化する色分離合成ユニット。７１は光源１からの光を受けて発熱する色分離合成ユニット５を冷却するための色分離合成ユニット冷却ファン。７２は光源１からの光を受けて発熱する照明光学系２を冷却するための照明光学系冷却ファン、７３は光源１を冷却するための電源冷却ファンである。
【００１６】
８は発熱する部品の温度を検知するための温度検知センサシステム(TEMPERATURE SENSOR)であり、検知した各部温度情報をコントロールシステム(CONTROL SYSTEM)に送る。温度検知センサシステム(TEMPERATURE SENSOR)８は色分離合成ユニット５、照明光学系２、光源１の温度を検知する。
【００１７】
９は温度検知センサシステム(TEMPERATURE SENSOR)８からの温度情報を元に冷却ファン７１、７２、７３への駆動電圧と、光源１の駆動電圧とを制御するためのコントロールシステム(CONTROL SYSTEM)。コントロールシステム(CONTROL SYSTEM)９は情報の記憶装置としても利用される。１１は投射表示装置１０に対し、使用者が様々な指令を入力するための指令入力装置。指令入力装置１１において使用者は駆動時に所望する騒音値を入力することができる。本実施例では指令入力装置１１での入力情報を無線にて投射表示装置１０に伝達する。
【実施例１】
【００１８】
以下、図１、２を参照して、本発明の実施例による、騒音を閾値として駆動する投射表示装置について説明する。
【００１９】
まず、準備として、冷却ファン７１、７２、７３の駆動電圧と騒音との関係を製造時にコントロールシステム(CONTROL SYSTEM)９に記憶しておく。
【００２０】
初めに、ｓｔｅｐ１にて、使用者は、投射表示装置１０を駆動する際に、指令入力装置１１を介して使用時の希望騒音値を入力する。
【００２１】
次にｓｔｅｐ２にて、あらかじめコントロールシステム(CONTROL SYSTEM)９に記憶した関係から、指定された希望騒音値を満たす冷却ファン７１、７２、７３の駆動電圧を選択する。
【００２２】
次にｓｔｅｐ３にて、投射表示装置１０の投影を開始する。この際、あらかじめ冷却ファン７１、７２、７３の駆動条件とともに光源の駆動条件も決定しておきｓｔｅｐ３にて所定の光源駆動条件で投影を開始することが好ましい。光源の駆動条件は以下のｓｔｅｐで変動するが、初期の駆動条件を指定することで、冷却対象である色分離合成ユニット５、照明光学系２、光源１の急激な温度上昇を防止できる。
【００２３】
次にｓｔｅｐ４にて、冷却対象である冷却対象である色分離合成ユニット５、照明光学系２、光源１の温度を温度検知センサシステム(TEMPERATURE SENSOR)８を用いて検出しコントロールシステム(CONTROL SYSTEM)９に情報を送る。
【００２４】
次にｓｔｅｐ５にて、送られた情報から冷却対象である色分離合成ユニット５、照明光学系２、光源１の温度があらかじめ記憶した所定温度範囲内であるかどうかをコントロールシステム（ＣＯＮＴＲＯＬ  ＳＹＳＴＥＭ）９にて判断する。
【００２５】
次にｓｔｅｐ５にて所定の温度範囲外である場合はｓｔｅｐ６にて光源の制御出力を変更する。例えば色分離合成ユニット５の温度上昇は光源１による光が透過することが原因なので色分離合成ユニット５の検出温度が所定の温度範囲以上となっている場合は、光源の駆動電圧を低下させる。ｓｔｅｐ５にて所定の温度範囲内である場合はその時点の駆動条件で投影を継続する。
【００２６】
次にｓｔｅｐ７にて投射表示装置の駆動を停止する指令があるかどうかを判断する。指令がある場合は投影を中止する。指令がない場合はｓｔｅｐ４に戻り、駆動を停止する指令があるまでｓｔｅｐ４からｓｔｅｐ７までの動作を繰り返す
以上、本発明の好ましい実施形態について説明したが、本発明はこれらの実施形態に限定されず、その要旨の範囲内で種々の変形及び変更が可能である。
【００２７】
上記実施例では冷却手段として冷却ファンを用いたが、例えば液冷システムやペルチェ素子やその他の冷却手段を用いてもよい。
【符号の説明】
【００２８】
１  光源、２  照明光学系、３  画像生成装置、４  色分離合成光学系、
５  色分離合成ユニット、６  投射レンズ、７１  色分離合成ユニット冷却ファン、
７２  照明光学系冷却ファン、７３  光源冷却ファン、
８  温度検知センサシステム(TEMPERATURE SENSOR)、
９  コントロールシステム(CONTROL SYSTEM)、１０  投射表示装置、
１１  指令入力装置
【図１】
2018013653.tif 000003
【図２】
2018013653.tif 000004